(57)【要約】【課題】船舶検査の際のバラスト水サンプリングの簡易分析項目である目視検査を潤滑に実施することができ、訓練が必要でなく、定量性が明確であり、低額である目視検査を実現できる照明装置付き水生生物観察システムを提供すること。【解決手段】目視検査装置と照明装置によって構成される照明装置付き水生生物観察システムであって、目視検査装置は、有効容積が０．１Ｌ〜３．０Ｌであり、正面と背面と底面と二つの側面とを有する角形立体形状の透明水槽を備え、照明装置は、該透明水槽の二つの側面側から該水槽内の目視検査対象水に、ＬＥＤ光を照射する光源４を備え、透明水槽に目視検査対象水である船舶内のバラスト水を所定量採取して、該透明水槽内のバラスト水にＬＥＤ光を照射して、該照射された光によりバラスト水中の水生生物の視認性を顕在化させて該水生生物の数をカウント可能に構成されることを特徴とする。【選択図】図３
2015206727.tif 000002
【特許請求の範囲】
【請求項１】
目視検査装置と照明装置によって構成される照明装置付き水生生物観察システムであって、
前記目視検査装置は、有効容積が０．１Ｌ〜３．０Ｌであり、正面と背面と底面と二つの側面とを有する角形立体形状の透明水槽を備え、前記照明装置は、該透明水槽の二つの側面側から該水槽内の目視検査対象水に、ＬＥＤ光を照射する光源を備え、
前記透明水槽に目視検査対象水である船舶内のバラスト水を所定量採取して、該透明水槽内のバラスト水にＬＥＤ光を照射して、該照射された光によりバラスト水中の水生生物の視認性を顕在化させて該水生生物の数をカウント可能に構成されることを特徴とする照明装置付き水生生物観察システム。
【請求項２】
前記水生生物のカウントは、前記透明水槽の前面から目視によって行うことを特徴とする請求項１記載の照明装置付き水生生物観察システム。
【請求項３】
前記透明水槽の背面に、該透明水槽の有効容積を示すラインが修正困難に形成されていることを特徴とする請求項１又は２記載の照明装置付き水生生物観察システム。
【請求項４】
前記透明水槽の背面に、水生生物のサイズを測定可能な目盛りを有することを特徴とする請求項１、２又は３記載の照明装置付き水生生物観察システム。
【請求項５】
前記透明水槽が着脱可能に設置される設置台を有することを特徴とする請求項１〜４のいずれかに記載の照明装置付き水生生物観察システム。
【発明の詳細な説明】
【技術分野】
【０００１】
本発明は照明装置付き水生生物観察システムに関し、詳しくは、船舶検査（PSC）の際の目視検査（Visual inspection）を実現する装置の提供とPSC検査官の便宜を向上させる照明装置付き水生生物観察システムに関する。
【背景技術】
【０００２】
バラスト水中に混入している水生生物や細菌類が外航船舶によって異国に運ばれることにより、もともとその海域には生息していなかった生物種が既存生物種に取って代わるといった生態系の破壊が深刻化している。
【０００３】
日本国政府は、外航船舶に排水の浄化装置の装置を義務付ける「船舶のバラスト水および沈殿物の規制および管理のための国際条約」（以下、バラスト水管理条約という。）を、２０１４年度に批准する方針を固めた。
【０００４】
この批准に向けて国内法の整備も始まっており、２０１４年１月の通常国会に提出の予定である。
【０００５】
バラスト水管理条約は、本文２２条、付属書５項、および、１４のガイドラインから構成される。
【０００６】
そのガイドラインの中のバラスト水サンプリングに関するガイドライン（G2：Guidance on ballast water sampling and analysis for trial use in accordance with the BWM Convention and Guidelines；非特許文献１）は、船舶検査（PSC等）の際のバラスト水サンプリングの計画および実施の方法および実用的かつ技術的な指導要領である。
【０００７】
本ガイドラインでは、船舶検査での具体的な方法は挙げていない。また、２０１３年５月２４日に発行された本ガイドラインに関連するIMO文書（BWM.2/Circ.42）の中でも検査の項目はあるものの、具体的な方法は明記されておらず、船舶検査を実施する各国に任されている状態である。
【０００８】
上記IMO文書の中で、簡易分析（Indicative analysis）の測定方法／項目に、目視検査（Visual inspection）がある。バラストタンクからの排水バラスト水の中の比較的大型（５０μｍ以上）の水生生物を目視で確認するものであるが、従来、その目的で開発されてきた装置はない。
【先行技術文献】
【特許文献】
【０００９】
【非特許文献１】http://www.hakuyohin.or.jp/guideline_G2_J.pdf
【発明の概要】
【発明が解決しようとする課題】
【００１０】
上記IMO文書は、他の簡易分析方法として、実体顕微鏡観察（Visual counts or stereo-microscopy）、可変蛍光光度法（Variable fluorometry）、測光分析（Photometry）、核酸測定（Nucleic acid）、アデノシン三リン酸（ATP）、FDAを用いた蛍光活性測定（Bulk fluorescein diacetate）、クロロフィルａ測定（Chlorophyll a）、フローサイトメトリー（Flow cytometry）、蛍光分析診断キット（Fluorometric diagnostic kit）を挙げている。
【００１１】
しかしながら、これらの方法は、訓練が必要であったり、定量性が不明確であったり、高額であること等の問題がある。
【００１２】
船舶検査は全球的に各国で実施されるものであり、途上国での実施および定量性等のワールドスタンダードとして実施可能な方法は目視検査が実用的である。そのため、本検査方法に用いる装置の開発が急務であり喫緊の課題である。
【００１３】
そこで、本発明は、船舶検査の際のバラスト水サンプリングの簡易分析項目である目視検査を潤滑に実施することができ、訓練が必要でなく、定量性が明確であり、低額である目視検査を実現できる照明装置付き水生生物観察システムを提供することを課題とする。
【００１４】
本発明の他の課題は、以下の記載により明らかとなる。
【課題を解決するための手段】
【００１５】
上記課題は、以下の各発明によって解決される。
【００１６】
１．目視検査装置と照明装置によって構成される照明装置付き水生生物観察システムであって、
前記目視検査装置は、有効容積が０．１Ｌ〜３．０Ｌであり、正面と背面と底面と二つの側面とを有する角形立体形状の透明水槽を備え、前記照明装置は、該透明水槽の二つの側面側から該水槽内の目視検査対象水に、ＬＥＤ光を照射する光源を備え、
前記透明水槽に目視検査対象水である船舶内のバラスト水を所定量採取して、該透明水槽内のバラスト水にＬＥＤ光を照射して、該照射された光によりバラスト水中の水生生物の視認性を顕在化させて該水生生物の数をカウント可能に構成されることを特徴とする照明装置付き水生生物観察システム。
【００１７】
２．前記水生生物のカウントは、前記透明水槽の前面から目視によって行うことを特徴とする前記１記載の照明装置付き水生生物観察システム。
【００１８】
３．前記透明水槽の背面に、該透明水槽の有効容積を示すラインが修正困難に形成されていることを特徴とする前記１又は２記載の照明装置付き水生生物観察システム。
【００１９】
４．前記透明水槽の背面に、水生生物のサイズを測定可能な目盛りを有することを特徴とする前記１、２又は３記載の照明装置付き水生生物観察システム。
【００２０】
５．前記透明水槽が着脱可能に設置される設置台を有することを特徴とする前記１〜４のいずれかに記載の照明装置付き水生生物観察システム。
【発明の効果】
【００２１】
本発明によれば、船舶検査の際のバラスト水サンプリングの簡易分析項目である目視検査を潤滑に実施することができ、訓練が必要でなく、定量性が明確であり、低額である目視検査を実現できる照明装置付き水生生物観察システムを提供することができる。
【図面の簡単な説明】
【００２２】
【図１】本発明に係る照明装置付き水生生物観察システムの第１の実施形態を示す斜視図
【図２】図１に示す照明装置付き水生生物観察システムの側面図
【図３】図１に示す照明装置付き水生生物観察システムの使用状態を説明する正面図
【図４】本発明に係る照明装置付き水生生物観察システムの第２の実施形態を示す斜視図
【図５】設置台の他の実施形態を示す斜視図
【図６】設置台の更に他の実施形態を示す斜視図
【図７】水槽の他の実施形態を示す斜視図
【発明を実施するための形態】
【００２３】
以下、本発明の実施の形態について詳細に説明する。
【００２４】
（第１の実施形態）
図１は、本発明に係る照明装置付き水生生物観察システムの第１の実施形態を示す斜視図、図２はその側面図、図３はその使用状態を説明する正面図である。
【００２５】
照明装置付き水生生物観察システムは、目視検査装置と、照明装置によって構成される。
【００２６】
本発明の水生生物観察システムは、通常は、PSCに基づき船舶内に強制的に入って検査する検査官が使用する。検査官は、バラスト水をバラストタンクから船舶外の海に廃棄出来るだけの水質であるか否かの検査を行う。このシステムを検査官が船舶に持ち込み、比較的大きな水生生物の存在数をカウントする。その際に、水生生物が確認された際には、廃棄出来るだけの水質ではないと判断できる。なお、水質を規定する項目は、ほかの項目もあるが、この目視検査で問題となる水質である場合には、他の項目も問題である可能性が非常に高くなる。また、このシステムは、船舶の乗務員である船員が、自ら用いて水質を確認する場合もある。
【００２７】
目視検査装置は、水槽１、蓋部材２、設置台３を備えている。また照明装置は、光源４と電源５を備えている。
【００２８】
水槽１は、上部の開口部１０と、いずれも透明板からなる前面１１、背面１２、２つの側面１３、１３及び底面１４とを有する透明水槽である。ここで、前面１１は、水槽１内に注水されたバラスト水中の水生生物を目視検査する際に目視を行う側の面である。
【００２９】
このシステムにおいて、水槽１は透明性が要求される。前面１１から水生生物の数を目視によってカウントできるためである。透明であればよいので、無色透明あるいは有色透明のいずれでもよい。有色透明の場合には、水生生物の数を目視によってカウントする際の妨げとならない程度の有色性が求められる。
【００３０】
検査官がシステムを船舶内に持ち込む際に小型で軽量であることが望まれるので、透明板としては、透明樹脂板、ガラス板等が用いられる。中でもコスト低減を実現する上では、透明樹脂板を用いることが好ましい。透明樹脂板の樹脂素材としては、アクリル樹脂、ポリエチレンテレフタレート、ポリブチレンテレフタレート等が挙げられるが、アクリル樹脂が好ましい。
【００３１】
システム使用者から求められる軽量性や可搬性を考慮すると、水槽１の有効容積は０．１Ｌ以上３．０Ｌ以下であり、好ましくは０．５Ｌ以上２．０Ｌ以下である。水槽の形状は、照明装置からの光の集光性を考慮すると、角形立体形状、たとえば直方体状が好ましい。
【００３２】
透明樹脂板の板厚は、１ｍｍ〜３ｍｍとすることが好ましく、１．５ｍｍ〜２．０ｍｍがより好ましい。
【００３３】
水槽１の具体的な大きさは、所望の容積に応じて適宜決められるが、幅Ｗ及び高さＨに比べて奥行Ｄが十分に小さい直方体状に形成することが好ましい。前面１１が広く、この前面１１に対して奥行が小さくなるので、内部に貯留されたバラスト水中の水生生物を目視確認し易くなるためである。具体例を挙げれば、１Ｌのバラスト水を検査する場合、有効深さを考慮して、内寸で、Ｗ２００ｍｍ、Ｈ２００ｍｍ、Ｄ３０ｍｍとすることができ、０．１Ｌのバラスト水を検査する場合、内寸で、Ｗ１００ｍｍ、Ｈ１００ｍｍ、Ｄ１５ｍｍとすることができる。
【００３４】
水槽１の前面１１、背面１２、側面１３、１４のうちの少なくともいずれかの外面、内面又は透明板の厚みの内部に、有効容積を示すライン１５が形成されている。
【００３５】
ライン１５は、定量性が明確であり、水質検査の客観性を担保する上で、修正困難に形成されることはきわめて重要である。このラインが簡単に書き換えられたりすると、検査システム自体の信頼性がなくなるからである。
【００３６】
この実施例は、背面１２にライン１５が形成されたものを例示している。このライン１５は、例えば上記した１Ｌのバラスト水を検査する場合、底面１４の上面から１７０ｍｍの高さに形成され、上記した０．１Ｌのバラスト水を検査する場合、底面１４の上面から６７ｍｍの高さに形成される。
【００３７】
透明板に形成される有効容積を示すライン１５は、修正困難に、つまり簡単に書き換えできなければ、いかなる手法によって形成してもよい。たとえば、剥離困難な印刷ライン、剥離困難なシール貼着でもよいが、刻印による溝などでもよい。また、透明板の厚みの内部に例えば赤色に着色された線等を埋め込み等によって形成してもよい。０．１Ｌのライン、０．５Ｌのライン、１Ｌのライン、２Ｌのラインは、目視検査の客観性を担保する上では、書き換えてはいけないからである。検査結果を船主に納得させる上でもそのラインは変動してはいけない。また剥離容易なシールでラインを形成した場合に、検査官がシステムの場所を所用で離れた際に、船主関係者がそのラインを剥離して張り替えることもあり得る。それらを防止する上で上述の簡単に書き換えできない手法が好ましい。
【００３８】
水槽１の背面１２には、水槽１内の水生生物のサイズを測定するための目盛り１６ａを有することが好ましい。これにより、所定以上の大きさの水生生物の存在場所の特定や、水生生物の数をカウントし易くできる。
【００３９】
図１に示した例は、目盛り１６ａを印刷した目盛り板１６を、水槽１の背面１２の外面に着脱可能に装着した。着脱可能にすると、必要でない場合に取り外すことができ、あるいは目盛が汚れた際に張り替えが可能になる。
【００４０】
目盛り板１６は樹脂板によって形成することができる。樹脂板は透明樹脂板によって形成してもよいし、水槽１内に注水されるバラスト水の濁り具合に応じて、白色や黒色等に着色された着色樹脂板によって形成することにより、水槽１内の水生生物の視認性を向上させるようにしてもよい。
【００４１】
目盛り板１６を装着する方法としては、両面又は片面粘着テープによって行ってもよいし、背面１２の外面に目盛り板１６を係合させて装着するための係合溝（図示せず）を形成しておき、目盛り板１６の使用時に係合溝に装着するようにしてもよい。また、目盛り板１６を背面１２に対して静電吸着させるようにしてもよい。
【００４２】
このシステムでは、水槽１の内部の水が飛び出すのを防止するために、蓋部材２を設けることができる。蓋部材２は、水槽１の開口部１０の全体を覆う大きさを有する蓋本体２１と、この蓋本体２１の上面の摘み部２２と、この蓋本体２１の下面に設けられ、開口部１０に嵌まり込んでズレ防止を図る張り部２３とを有する。
【００４３】
設置台３は、水槽１を着脱可能に設置する。設置台３は、水槽１の底面１４の外面側を覆う底面板３１と、この底面板３１に連接して水槽１の背面１２の外面側を覆う背面板３２とを備えている。
【００４４】
底面板３１は水槽１の底面１４全体を覆うことができるように、該底面１４と同等の大きさを有し、背面板３２も水槽１の背面１２全体を覆うことができるように、該背面１２と同等の大きさを有している。
【００４５】
これら底面板３１及び背面板３２は、樹脂板、ガラス板、金属板、木製の板によって形成することができるが、軽量で安価である点で樹脂板によって形成することが好ましい。樹脂板は透明でも着色されていてもよいが、水槽１内の水生生物の視認性を向上させる観点からは、白色や黒色等に着色されていることが好ましい。特に底面板３１は、後述する光源４、４からの光を上方に反射させて、水槽１内の水生生物の視認性を向上させる観点から白色に着色されているか、反射箔が形成されていることが好ましい。
【００４６】
また、水槽１の背面１２と設置台３の背面板３２との間に、白色や黒色等に着色された別部品である背景板（図示せず）を着脱可能に挿入するようにしてもよい。これにより、水槽１内に注水されるバラスト水の濁り具合に応じて水槽１の背面１２側の背景色を任意の色に容易に変更することができ、水槽１内の水生生物の視認性をより向上させることができる。
【００４７】
更に、設置台３には、底面板３１上に載置された水槽１の前面１１側を覆う前面板３３と、２つの側面１３、１３を覆う側面板３４、３４とを有している。これら前面板３３、側面板３４、３４は、水槽１と同様の透明板によって、水槽１の高さに比べて十分に低い高さとなるように形成され、底面板３１の前縁及び両側縁にそれぞれ固定されている。
これにより、水槽１を設置台３の底面板３１上に設置した際に、水槽１の前面１１及び両側面１３、１３が前面板３３及び側面板３４、３４によって取り囲まれるため、水槽１を安定して設置することができ、検査官の作業性を向上させる。水槽１の高さに比べて十分に低い高さとなるように形成すれば、水槽１の内部の視認性に影響を与えることもない。これら前面板３３、側面板３４、３４は、例えば１．５ｍｍ厚とすることができる。
【００４８】
照明装置は、光源４、４と電源５を備えている。照明装置は、設置台３に設置された水槽１の内部に向けて光を照射する。
【００４９】
光源４、４には、蛍光管、ＬＥＤ（発光ダイオード）を用いることができるが、特にＬＥＤが好ましい。蛍光管に比べて小型、軽量であり、寿命が長くて消費電力も低く、メンテナンスが容易であるためである。
【００５０】
また、ＬＥＤは発熱量も小さく、水槽１内の水温を上昇させるおそれもないため、水生生物を生きた状態で観察する観点からも好ましい。ＬＥＤは水生生物の視認性が良好である点で白色であることが好ましい。
【００５１】
ＬＥＤは点光源となるが、複数のＬＥＤ素子４１を光源４の高さ方向に配列させることにより、水槽１内の全体に光を万遍なく照射することができる。
【００５２】
複数配列したＬＥＤ素子４１の列は、更に水槽１内の水生生物の視認性をより向上させる観点から、図１に示すように、複数列設けることが好ましい。このような複数のＬＥＤ素子４１の列はＬＥＤテープを使用することによって容易に構成することができる。
【００５３】
光源４、４は、設置台３の側面板３４、３４に取り付けられ、水槽１の高さ以上の高さで上方に延びている。
【００５４】
光源４、４から出射した光は、側面１３、１３の外面全体に亘って光が照射され、水槽１の側面１３、１３による光拡散効果と相俟って、光源４、４からの光を水槽１の内部の全体に亘って隈なく照射することができる。
【００５５】
電源５は、設置台３の背面板３２の背面側に設けられており、配線４２、４２によって各光源４、４と駆動電力を供給可能に接続されている。電源５は設置台３の背面板３２に着脱可能に取り付けられた電源ボックス５１の内部に乾電池を収容している。電源ボックス５１にはスイッチ５２が設けられ、該スイッチ５２の操作によって光源４、４をＯＮ／ＯＦＦするようになっている。なお、電源は、交流であっても、直流であってもよく、また充電器に充電された電源を用いてもよい。
【００５６】
従来、水生生物を観察するこの種の観察システムとして、照明装置のないものは知られている。しかるに、照明装置を付随したものは、生涯教育目的や飼育のための装置であり、大型な物が多い。条約上の検査官が条約に基づき目視検査を行うに際して、検査の客観性を担保でき、可搬性に優れ、低コストを実現した画期的なシステムを提供するのが本発明である。
【００５７】
次に、かかる照明装置付き水生生物観察システムの使用方法について説明する。
【００５８】
検査官は、照明装置付き水生生物観察システムを検査対象船舶内に持ち込み、バラスト水配管からバラスト水の一部をサンプリングし、水槽１内にライン１５で示された所定量（例えば１Ｌ又は０．１Ｌ等）になるまで注水する。その後、開口部１０に蓋部材２を取り付けて水の飛び出しを防止する。
【００５９】
このとき、水槽１は、光源４、４等の重量のある電気部品を有する設置台３から取り外した状態で注水作業することができるため、軽快に作業できると共に、注水時に電気部品に水がかかってしまうおそれもない。
【００６０】
次いで、この蓋部材２付きの水槽１を設置台３の前面板３３、側面板３４、３４及び背面板３２で囲まれた底面板３１上に載置し、その後、電源５のスイッチ５２をＯＮにすることで光源４、４を点灯させ、水槽１内に側面１３、１３から光を照射する。
【００６１】
これにより、水槽１内のバラスト水中に５０μｍ以上の水生生物Ｘが生息している場合、水槽１内を隈なく照射する光源４、４の光によって水生生物Ｘの視認性を顕在化させる。
【００６２】
このため、暗い船舶内にあっても水生生物Ｘを容易に目視確認してその数をカウントすることができ、バラスト水の検査官による目視検査を潤滑に実施することができる。このとき、水槽１内に水生生物Ｘが生息していることが確認された場合、当該バラスト水は船外への排出が不適合であるとその場で判断することができ、迅速な判断が可能となる。
【００６３】
（第２の実施形態）
図４は、本発明に係る照明装置付き水生生物観察システムの第２の実施形態を示す斜視図である。図１〜図３に示した第１の実施形態に係る照明装置付き水生生物観察システムと同一符号の部位は同一構成の部位であるため、これらの説明は上記説明を援用し、ここでは省略する。
【００６４】
この目視検査装置は、設置台３を着脱可能に設置する台座６を更に有している。台座６は、例えば樹脂板、木製の板によって矩形の平板状に形成されている。このため携帯性が良好である。
【００６５】
台座６の上面６１には、設置台３を着脱可能に支持するための支持部６２、６２が一方の端部６３寄りの位置に立設されている。支持部６２、６２は、設置台３の側面板３４、３４から前面板３３及び背面板３２の一部を支持するように平面視コ型に形成され、２つの支持部６２、６２の間に装着された設置台３を、その両側から挟み付けようにして支持するように構成されている。この支持部６２、６２は、設置台３を装着した際、その水槽１の前面１１が、端部６３と対向する他方の端部６４側に向くように配置されている。
【００６６】
また、台座６の上面６１には、他方の端部６４寄りの位置に、支持部６２、６２に装着された設置台３に設置されている水槽１を、その前面１１側から撮影するための撮影装置７を固定する設置棚６５が設けられている。
【００６７】
図４では、撮影装置７としてデジタルカメラを例示しており、設置棚６５は、２段の棚によって構成され、下棚の表面に雄ネジの頭部を当接させ、ネジ部を上向きに設け、そのネジ部が上棚を貫通して上棚の表面から突出させてある。その突出したネジ部によって、デジタルカメラを固定する。
【００６８】
設置棚６５と支持部６２、６２との間の距離は、撮影装置７の画角や焦点距離等を考慮して適宜決定することができる。
【００６９】
この照明装置付き水生生物観察システムによれば、バラスト水が注水された水槽１を備えた設置台３を台座６上の支持部６２、６２に装着した状態で、設置棚６５に固定された撮影装置７によって水槽１を前面１１側から簡単に撮影を行うことができ、バラスト水中に生息している水生生物の証拠写真を容易に撮影することができる。
【００７０】
なお、設置棚６５は、図示の２段棚以外に、１段棚であってもよいし、２段以上の棚であってもよい。
【００７１】
また設置棚６５を台座６の上面６１で位置決めしやすくするために、台座６に、２条のレールを形成することもできる。
【００７２】
台座６の下面には、折り畳み式又は着脱式の脚部（図示せず）を設けるようにしてもよい。
【００７３】
（その他の実施形態）
図５、図６は、本発明に係る照明装置付き水生生物観察システムにおける設置台３の他の実施形態を示す斜視図である。図１〜図４と同一符号の部位は同一構成の部位であるため、これらの説明は上記説明を援用し、ここでは省略する。
【００７４】
図５は、図１〜図３に示した光源４、４を設けていない設置台３を示している。この設置台３では、水槽１内の水生生物を目視検査する際、船舶内の照明又は太陽光を使用して目視確認を行うことができる。光源４、４及び電源５がないため、より軽量で携帯性に優れる利点がある。
【００７５】
図６は、図５と同様に光源４、４を設けていない設置台３を示しているが、この設置台３は、図１〜図３に示した設置台３の前面板３３及び側面板３４、３４を有しておらず、底面板３１及び背面板３２のみによって構成されている。
【００７６】
この図６に示す設置台３も、水槽１内の水生生物を目視検査する際、船舶内の照明又は太陽光を使用して目視確認を行うことができる点で、図５に示した設置台３と同様であるが、前面板及び側面板がない分、図５の設置台３に比べてより軽量で携帯性に優れる上に、安価であるという利点がある。
【００７７】
図７は、水槽１の他の実施形態を示している。この水槽１は光源４が設けられたものであり、水槽１の２つの側面１３、１３にそれぞれ光源４、４を設けている。この場合、各光源４、４と電源５とを電気的に接続する配線４２、４２との接続は、光源４、４側のコネクタ４３、４３及び配線４２、４２側のコネクタ４４、４４によって接続する構成とすることが好ましい。バラスト水の注水時に重量のある電源５を切り離しておくことで、作業性を向上させることができる。
【００７８】
この光源４付きの水槽１は、これ単独で使用することもできるが、図５、図６に示した設置台３に設置して使用することにより、水生生物の視認性をより向上させることもできる。
【符号の説明】
【００７９】
１：水槽
１０：開口部
１１：前面
１２：背面
１３：側面
１４：底面
１５：ライン
１６：目盛り板
１６ａ：目盛り
２：蓋部材
２１：蓋本体
２２：摘み部
２３：張り部
３：設置台
３１：底面板
３２：背面板
３３：前面板
３４：側面板
４：光源
４１：ＬＥＤ素子
４２：配線
４３、４４：コネクタ
５：電源
５１：電源ボックス
５２：スイッチ
６：台座
６１：上面
６２：支持部
６３：一方の端部
６４：他方の端部
６５：設置棚
７：撮影装置
【図１】
2015206727.tif 000003
【図２】
2015206727.tif 000004
【図３】
2015206727.tif 000005
【図４】
2015206727.tif 000006
【図５】
2015206727.tif 000007
【図６】
2015206727.tif 000008
【図７】
2015206727.tif 000009